(57)【要約】【課題】軽量性、設置作業性、剛性等のさらなる改良が可能で、しかも安価に作製可能な繊維強化樹脂からなる止水パネルと、その止水パネルの製造方法及びその止水パネルを用いた止水装置を提供する。【解決手段】織物状繊維又は編物状繊維を含む繊維強化樹脂層Ａにより、若しくは一方向に引き揃えられた強化繊維を含む繊維強化樹脂層Ｂにより形成された中空構造セグメントが単縦列に延在するように複数個並べられており、複数個の中空構造セグメントが包括されて織物状繊維又は編物状繊維を含む繊維強化樹脂層Ｃにより被覆されていることを特徴とする止水パネル、その止水パネルの製造方法及びその止水パネルを用いた止水装置。【選択図】図２
2017197998.tif 000002
【特許請求の範囲】
【請求項１】
中空構造を有する繊維強化樹脂からなる止水パネルであって、
織物状繊維又は編物状繊維を含む繊維強化樹脂層Ａにより、若しくは一方向に引き揃えられた強化繊維ｂを含む繊維強化樹脂層Ｂにより形成された中空構造セグメントが単縦列に延在するように複数個並べられており、複数個の前記中空構造セグメントが包括されて織物状繊維又は編物状繊維を含む繊維強化樹脂層Ｃにより被覆されていることを特徴とする止水パネル。
【請求項２】
前記繊維強化樹脂層Ａ若しくは繊維強化樹脂層Ｂの外面に、さらに一方向に引き揃えられた強化繊維ｄを含む繊維強化樹脂層Ｄが配置されている、請求項１に記載の止水パネル。
【請求項３】
前記中空構造セグメントの断面形状が矩形状を有し、前記繊維強化樹脂層Ｄの外面で、かつ、複数個並べられた前記中空構造セグメント相互が隣接する境界部に、一方向に引き揃えられた強化繊維ｅを含む繊維強化樹脂層Ｅが配置されている、請求項２に記載の止水パネル。
【請求項４】
前記強化繊維ｅの配向角は前記強化繊維ｄの配向角とは異なる角度に設定されている、請求項３に記載の止水パネル。
【請求項５】
前記中空構造セグメントの断面形状が矩形状を有し、前記繊維強化樹脂層Ｄが、複数個並べられた前記中空構造セグメント相互が隣接する境界部に配置されている、請求項２〜４のいずれかに記載の止水パネル。
【請求項６】
前記繊維強化樹脂層Ｄが、少なくとも複数個並べられた前記中空構造セグメント相互が隣接する境界部に配置されており、かつ、該配置部において、前記繊維強化樹脂層Ａ若しくは繊維強化樹脂層Ｂの内面と外面に配置されている、請求項２〜５のいずれかに記載の止水パネル。
【請求項７】
前記複数個の中空構造セグメントが包括されて織物状繊維又は編物状繊維を含む繊維強化樹脂層Ｃにより被覆されている構成において、前記繊維強化樹脂層Ｃの内面に、一方向に引き揃えられた強化繊維ｆを含む繊維強化樹脂層Ｆが配置され、該繊維強化樹脂層Ｆにより前記複数個の中空構造セグメントが包括されて被覆されている、請求項１〜６のいずれかに記載の止水パネル。
【請求項８】
一部に他の部位に対し傾斜角度を有するパネル部位を有する、請求項１〜７のいずれかに記載の止水パネル。
【請求項９】
前記中空構造セグメントの中空部内に低見かけ比重の材料からなるコア材が設けられている、請求項１〜８のいずれかに記載の止水パネル。
【請求項１０】
中子の周囲に織物状繊維又は編物状繊維を含む繊維強化樹脂層Ａを配し中空構造セグメントを形成する工程、
複数個の前記中空構造セグメントを単縦列に延在するように配する工程、
前記複数個の中空構造セグメントを包括して織物状繊維又は編物状繊維を含む繊維強化樹脂層Ｃにより被覆する工程、
前記繊維強化樹脂層Ｃにより被覆された全体を加圧・加熱する工程、及び、
前記中子を取出す工程、
を有することを特徴とする止水パネルの製造方法。
【請求項１１】
マトリクス樹脂を含浸させた一方向に引き揃えた強化繊維ｂを加熱金型に通し連続的に引抜き成形して中空構造セグメントを形成する工程、
複数個の前記中空構造セグメントを前記強化繊維ｂの配向方向と交差する方向に単縦列に延在するように配する工程、
前記複数個の中空構造セグメントを包括して織物状繊維又は編物状繊維を含む繊維強化樹脂層Ｃにより被覆する工程、及び、
前記繊維強化樹脂層Ｃにより被覆された全体を加圧・加熱する工程、
を有することを特徴とする止水パネルの製造方法。
【請求項１２】
単縦列に延在するように配した複数個の中空構造セグメントを形成するマトリクス樹脂を含浸させた強化繊維と、前記複数個配した中空構造セグメントを包括して被覆したマトリクス樹脂を含浸させた織物状繊維又は編物状繊維を、加熱金型に通して連続的に引抜き成形する工程を有することを特徴とする止水パネルの製造方法。
【請求項１３】
前記強化繊維が、織物状繊維又は編物状繊維、若しくは一方向に引き揃えた強化繊維である、請求項１２に記載の止水パネルの製造方法。
【請求項１４】
請求項１〜９のいずれかに記載の止水パネルと、前記止水パネルの長手方向両端を係止する方立とを有することを特徴とする止水装置。
【請求項１５】
前記止水パネルが鉛直方向に対して１〜３０°の傾斜角度を持たせて設置されている、請求項１４に記載の止水装置。
【発明の詳細な説明】
【技術分野】
【０００１】
本発明は、中空構造を有する繊維強化樹脂からなる止水パネルと、その止水パネルの製造方法及びその止水パネルを用いた止水装置に関する。
【背景技術】
【０００２】
軽量性や耐久性、剛性等を改善した止水パネルや止水扉用ボードが各種提案されている（例えば、特許文献１〜５）。平常時には水防倉庫などに止水パネルを保管しておき、豪雨発生などの緊急時に水防倉庫から止水パネルを持ち出し、これを例えば地下街へと通じる降下路に立設させた親杭間に架け渡し、複数枚を適宜な高さに積み上げることで所望の高さ及び長さの止水防護柵を構築することが提案されている。また、河川の水量が短時間で著しく増水して河川が氾濫する危険が生じたときには緊急に設置しなければならないことが多いが、可搬・可動式の止水パネルを少ない作業量で迅速且つ簡単に設置できるように、より軽量な止水パネルが望まれている。さらに、止水パネル自体には簡単な作業で迅速に設置できる軽量化とともに高い水圧に耐えられる剛性、強度との両立を図れることが望まれている。
【先行技術文献】
【特許文献】
【０００３】
【特許文献１】特開２０１３−２３８１４号公報
【特許文献２】特開２０１３−５２５９８号公報
【特許文献３】特開２０１４−７０４２６号公報
【特許文献４】特開２００８−２１９５号公報
【特許文献５】特開２０１２−２０２８号公報
【発明の概要】
【発明が解決しようとする課題】
【０００４】
しかしながら、上記特許文献１〜５のいずれの提案においても、軽量性、設置作業性、剛性等の面で未だ十分とは言えず、さらなる改良が望まれている。
【０００５】
そこで本発明の課題は、軽量性、設置作業性、剛性等のさらなる改良が可能で、しかも安価に作製可能な繊維強化樹脂からなる止水パネルと、その止水パネルの製造方法及びその止水パネルを用いた止水装置を提供することにある。
【課題を解決するための手段】
【０００６】
上記課題を解決するために、本発明に係る止水パネルは、中空構造を有する繊維強化樹脂からなる止水パネルであって、織物状繊維又は編物状繊維を含む繊維強化樹脂層Ａにより、若しくは一方向に引き揃えられた強化繊維ｂを含む繊維強化樹脂層Ｂにより形成された中空構造セグメントが単縦列に延在するように複数個並べられており、複数個の前記中空構造セグメントが包括されて織物状繊維又は編物状繊維を含む繊維強化樹脂層Ｃにより被覆されていることを特徴とするものからなる。
【０００７】
このような本発明に係る止水パネルにおいては、個々の中空構造セグメントは織物状繊維又は編物状繊維を含む繊維強化樹脂層Ａにより、若しくは一方向に引き揃えられた強化繊維ｂを含む繊維強化樹脂層Ｂにより形成されているので、中空構造による軽量性が確保されつつ、繊維強化樹脂層Ａ若しくは繊維強化樹脂層Ｂにより高強度、高剛性のセグメントに構成される。この高強度、高剛性の中空構造セグメントが、複数個単縦列に並べられ、その全体が包括されて織物状繊維又は編物状繊維を含む繊維強化樹脂層Ｃにより被覆されているので、複数個の中空構造セグメント間が強固に連結されるとともにその強固な連結状態が強固に保持され、かつ、被覆される繊維強化樹脂層Ｃ自体も複数個の中空構造セグメントを芯部分とした構造体を形成し、止水パネル全体としても、高い強度、高い剛性が確保される。しかも、個々の中空構造セグメントには中空部が残された形態になることから、止水パネル全体としての軽量性も確保され、取り扱い易く簡便に設置可能な優れた設置作業性が実現される。さらに、望ましい中空構造を有することで、強化繊維、繊維強化樹脂層の使用量を必要最小限に抑えることが可能で、優れた性能の止水パネルを安価に作製することが可能である。
【０００８】
上記本発明に係る止水パネルにおいては、上記の基本構成において、上記繊維強化樹脂層Ａ若しくは繊維強化樹脂層Ｂの外面に、さらに一方向に引き揃えられた強化繊維ｄを含む繊維強化樹脂層Ｄが配置されている形態を採用可能である。このように構成すれば、個々の中空構造セグメントの特定方向の強度、剛性をより高めることが可能になり、止水パネル全体としても、より高い強度、より高い剛性の実現が可能になる。
【０００９】
上記構成においては、上記中空構造セグメントの断面形状が矩形状を有し、上記繊維強化樹脂層Ｄの外面で、かつ、複数個並べられた上記中空構造セグメント相互が隣接する境界部に、一方向に引き揃えられた強化繊維ｅを含む繊維強化樹脂層Ｅが配置されている形態を採用可能である。このように構成すれば、とくに複数個の中空構造セグメント間の連結強度の向上が可能になり、それによってより撓みにくい止水パネルが実現される。
【００１０】
上記強化繊維ｅの配向角として、上記強化繊維ｄの配向角とは異なる角度に設定されている形態を採用することも可能である。このように構成すれば、中空構造セグメント相互が隣接する境界部が、互いに異なる配向角の強化繊維ｄと強化繊維ｅを含む繊維強化樹脂層Ｄと繊維強化樹脂層Ｅによって補強されることになるので、複数個の中空構造セグメント間の連結強度のさらなる向上が可能になり、それによってよりさらに止水パネル全体の剛性の向上が可能になる。
【００１１】
また、上記中空構造セグメントの断面形状が矩形状を有し、上記繊維強化樹脂層Ｄが、複数個並べられた上記中空構造セグメント相互が隣接する境界部に配置されている形態を採用することも可能である。このように構成すれば、少ない補強材量にて、効率よく、複数個の中空構造セグメント間の連結強度の向上、さらには止水パネル全体の剛性の向上が可能になる。
【００１２】
また、上記繊維強化樹脂層Ｄが、少なくとも複数個並べられた上記中空構造セグメント相互が隣接する境界部に配置されており、かつ、該配置部において、上記繊維強化樹脂層Ａ若しくは繊維強化樹脂層Ｂの内面と外面に（内面側と外面側の両方に）配置されている形態を採用することも可能である。このように構成すれば、個々の中空構造セグメントを補強できるとともに複数個の中空構造セグメント間の連結強度も向上でき、それによって止水パネル全体の強度、剛性の向上が可能になる。
【００１３】
また、上記複数個の中空構造セグメントが包括されて織物状繊維又は編物状繊維を含む繊維強化樹脂層Ｃにより被覆されている構成において、上記繊維強化樹脂層Ｃの内面に、一方向に引き揃えられた強化繊維ｆを含む繊維強化樹脂層Ｆが配置され、該繊維強化樹脂層Ｆにより上記複数個の中空構造セグメントが包括されて被覆されている形態を採用することも可能である。このように構成すれば、複数個の中空構造セグメントを包括被覆する繊維強化樹脂層の強度、剛性の向上が可能になり、それによって止水パネル全体の強度、剛性の向上が可能になる。
【００１４】
また、本発明に係る止水パネルにおいては、一部に他の部位に対し傾斜角度を有するパネル部位を有する形態を採用することも可能である。このように構成すれば、所定の場所に止水パネルを設置するに際し、止水パネルの一部が、設置場所に関して、あるいは止水のために受ける応力に対して、望ましい角度を持つことが可能になり、設置まで考慮した望ましい形態の止水パネルが実現可能になる。
【００１５】
また、本発明に係る止水パネルにおいては、基本構成としては各中空構造セグメントの中空構造はそのまま維持されるが、必要に応じて、上記中空構造セグメントの中空部内に低見かけ比重の材料からなるコア材（例えば、発泡体やハニカム構造を有する材料からなるコア材）が設けられている形態を採用することも可能である。このように構成すれば、個々の中空構造セグメントの軽量性を大きく損なうことなく個々の中空構造セグメントの強度、剛性を大幅に向上することが可能になり、それによって止水パネル全体の強度、剛性の大幅な向上が可能になる。
【００１６】
なお、本発明に係る止水パネルにおいて、使用される強化繊維の種類は特に限定されず、炭素繊維やガラス繊維、アラミド繊維、その他の強化繊維、さらにはこれら強化繊維の組み合わせ形態のいずれも使用可能である。また、繊維強化樹脂層に使用されるマトリクス樹脂の種類も特に限定されず、通常用いられる熱可塑性樹脂、熱硬化性樹脂のいずれも使用可能である。
【００１７】
本発明に係る止水パネルの製造方法は、
中子の周囲に織物状繊維又は編物状繊維を含む繊維強化樹脂層Ａを配し中空構造セグメントを形成する工程、
複数個の前記中空構造セグメントを単縦列に延在するように配する工程、
前記複数個の中空構造セグメントを包括して織物状繊維又は編物状繊維を含む繊維強化樹脂層Ｃにより被覆する工程、
前記繊維強化樹脂層Ｃにより被覆された全体を加圧・加熱する工程、及び、
前記中子を取出す工程、
を有することを特徴とする方法からなる。
【００１８】
あるいは、本発明に係る止水パネルの製造方法は、
マトリクス樹脂を含浸させた一方向に引き揃えた強化繊維ｂを加熱金型に通し連続的に引抜き成形して中空構造セグメントを形成する工程、
複数個の前記中空構造セグメントを前記強化繊維ｂの配向方向と交差する方向に単縦列に延在するように配する工程、
前記複数個の中空構造セグメントを包括して織物状繊維又は編物状繊維を含む繊維強化樹脂層Ｃにより被覆する工程、及び、
前記繊維強化樹脂層Ｃにより被覆された全体を加圧・加熱する工程、
を有することを特徴とする方法からなる。
【００１９】
あるいは、本発明に係る止水パネルの製造方法は、単縦列に延在するように配した複数個の中空構造セグメントを形成するマトリクス樹脂を含浸させた強化繊維と、前記複数個配した中空構造セグメントを包括して被覆したマトリクス樹脂を含浸させた織物状繊維又は編物状繊維を、加熱金型に通して連続的に引抜き成形する工程を有することを特徴とする方法からなる。この方法においては、上記強化繊維としては、織物状繊維又は編物状繊維、若しくは一方向に引き揃えた強化繊維を使用できる。
【００２０】
このように本発明に係る止水パネルは、各種の方法によって製造可能である。製造のし易さや製造量を勘案して、どの製造方法を採用するかを決定すればよい。特に連続的な引抜き成形工程を有する方法では、所望の優れた性能の止水パネルを簡便にかつ安価に製造することが可能である。
【００２１】
本発明に係る止水装置は、前述したような止水パネルと、前記止水パネルの長手方向両端を係止する方立とを有することを特徴とするものからなる。前述したような優れた性能の止水パネルを用いることで、所望の止水装置を優れた作業性をもって簡単に且つ安価に構築できる。
【００２２】
この止水装置においては、上記止水パネルが鉛直方向に対して１〜３０°の傾斜角度を持たせて設置されている形態を採用することもできる。
【発明の効果】
【００２３】
このように、本発明に係る止水パネルによれば、軽量で取り扱い易く設置作業性に優れ、且つ安価に作製可能であり、さらには、面と垂直な方向の応力に対して撓み難く、強度、剛性に優れた止水パネルを提供することできる。
【００２４】
また、本発明に係る止水パネルの製造方法によれば、所望の優れた性能の止水パネルを簡便にかつ安価に製造することが可能である。
【００２５】
また、本発明に係る止水装置によれば、所望の止水装置を優れた作業性をもって簡単に且つ安価に構築できる。
【図面の簡単な説明】
【００２６】
【図１】本発明の一実施態様に係る止水装置の全体基本構成を示す斜視図である。
【図２】本発明の一実施態様に係る止水パネルの斜視図である。
【図３】図２の止水パネルの平面図である。
【図４】図３のＡ−Ａ‘線に沿う止水パネルの横断面図である。
【図５】図３のＢ−Ｂ ‘線に沿う止水パネルの縦断面図である。
【図６】図２の止水パネルの層構成を示す概略横断面図である。
【図７】本発明の別の実施態様に係る止水パネルの層構成を示す概略横断面図である。
【図８】本発明のさらに別の実施態様に係る止水パネルの層構成を示す概略横断面図である。
【図９】本発明のさらに別の実施態様に係る止水パネルの層構成を示す概略横断面図である。
【図１０】本発明のさらに別の実施態様に係る止水パネルの層構成を示す概略横断面図である。
【図１１】本発明のさらに別の実施態様に係る止水パネルの層構成を示す概略横断面図である。
【図１２】本発明のさらに別の実施態様に係る止水パネルの一部傾斜構造を示す概略横断面図である。
【図１３】本発明のさらに別の実施態様に係る止水パネルの層構成を示す概略横断面図である。
【図１４】本発明の一実施態様に係る止水パネルの製造方法における各工程を示す概略横断面図である。
【図１５】本発明の別の実施態様に係る止水装置の全体基本構成を示す斜視図である。
【図１６】図１５の止水装置の縦断面図である。
【図１７】図１６とは異なる形態を示す止水装置の縦断面図である。
【発明を実施するための形態】
【００２７】
以下に、本発明の実施の形態について、図面を参照しながら説明する。
図１は、本発明の一実施態様に係る止水装置の全体基本構成を示している。止水装置１００は、止水パネル１と、止水パネル１の長手方向両端を係止する方立１１とを有する装置として構成され、例えば、地下街へと通じる降下路１２の入口に立設される。止水装置１００、とくにその止水パネル１は、例えば、豪雨発生などの緊急時に外部から流入しようとする水の流れ１３が、図示の流れ１４のように降下路１２へと流入するのを阻止する。
【００２８】
止水パネル１は、例えば、図２〜図５に示すような基本構成を有している。織物状繊維又は編物状繊維を含む繊維強化樹脂層Ａにより、若しくは一方向に引き揃えられた強化繊維ｂを含む繊維強化樹脂層Ｂにより、横断面が矩形状の繊維強化樹脂層４が形成され、繊維強化樹脂層４が、中空部２を有する中空構造セグメント３が形成されている。中空構造セグメント３が、単縦列に延在するように複数個並べられている。並べられた複数個の中空構造セグメント３は、包括されて，織物状繊維又は編物状繊維を含む繊維強化樹脂層Ｃ（５）により被覆されている。この止水パネル１の横断面における層構成を模式的に示すと、図６に示すようになる。すなわち、中空部２を有する中空構造セグメント３が、繊維強化樹脂層Ａ若しくは繊維強化樹脂層Ｂにより形成される繊維強化樹脂層４によって形成され、単縦列に複数個並べられた中空構造セグメント３が、包括されて繊維強化樹脂層Ｃ（５）により被覆されている。本実施態様および以下の別の実施態様では、各繊維強化樹脂層を構成する強化繊維として、とくに、機械特性（強度、剛性）に優れた繊維強化樹脂層を構成可能な炭素繊維が使用されている。
【００２９】
このような基本構成を有する止水パネル１においては、個々の中空構造セグメント３は織物状繊維又は編物状繊維を含む繊維強化樹脂層Ａにより、若しくは一方向に引き揃えられた強化繊維ｂを含む繊維強化樹脂層Ｂにより形成された繊維強化樹脂層４によって形成されているので、中空部２を有する構造による軽量性が確保されつつ、繊維強化樹脂層Ａ若しくは繊維強化樹脂層Ｂにより高強度、高剛性のセグメントに構成される。この高強度、高剛性の中空構造セグメント３が、複数個単縦列に並べられ、その全体が包括されて織物状繊維又は編物状繊維を含む繊維強化樹脂層Ｃ（５）により被覆されているので、複数個の中空構造セグメント３間が強固に連結されるとともにその強固な連結状態が強固に保持される。しかも、被覆される繊維強化樹脂層Ｃ（５）自体も複数個の中空構造セグメント３を芯部分とした構造体を形成するので、止水パネル１全体としても、高い強度、高い剛性が確保される。完成された止水パネル１における個々の中空構造セグメント３には中空部２が残された形態に維持されることから、止水パネル１全体としての軽量性も確保され、取り扱い易く簡便に設置可能な優れた設置作業性が実現される。さらに、この基本構成を有する止水パネル１においては、中空構造セグメント３の配列個数や各繊維強化樹脂層の厚み等が最適に設定され、それによって止水パネル１全体として望ましい中空構造を有することで、強化繊維、繊維強化樹脂層の使用量を必要最小限に抑えることが可能で、優れた性能の止水パネル１を安価に作製することが可能である。
【００３０】
上記のような基本構成を有する止水パネル１は、さらに以下のような付加構成を有することが可能である。例えば図７に示すように、中空構造セグメント３を形成する上記繊維強化樹脂層Ａ若しくは繊維強化樹脂層Ｂの外面に、さらに一方向に引き揃えられた強化繊維ｄを含む繊維強化樹脂層Ｄ（６）が配置されている構成を採用可能である。このように構成することにより、個々の中空構造セグメント３の特定方向（例えば、強化繊維ｄの配向方向）の強度、剛性をより高めることが可能になり、止水パネル１全体としても、より高い強度、より高い剛性の実現が可能になる。
【００３１】
さらに、上記構成に加え、例えば図８に示すように、上記中空構造セグメント３の断面形状が矩形状を有し、上記繊維強化樹脂層Ｄ（６）の外面で、かつ、複数個並べられた中空構造セグメント３相互が隣接する境界部に、一方向に引き揃えられた強化繊維ｅを含む繊維強化樹脂層Ｅ（７）が配置されている形態を採用可能である。このように構成すれば、とくに複数個の中空構造セグメント間の連結強度の向上が可能になり、それによってより撓みにくい止水パネルが実現される。なお、図８に示す例では、複数個並べられた中空構造セグメント３の配列方向両端部にも繊維強化樹脂層Ｅ（７）が配置されている。
【００３２】
上記繊維強化樹脂層Ｅ（７）が配置された構成において、強化繊維ｅの配向角としては、上記繊維強化樹脂層Ｄ（６）における強化繊維ｄの配向角とは異なる角度に設定されている形態を採用することも可能である。このように構成すれば、中空構造セグメント３相互が隣接する境界部が、互いに異なる配向角の強化繊維ｄと強化繊維ｅを含む繊維強化樹脂層Ｄ（６）と繊維強化樹脂層Ｅ（７）によって補強されることになるので、複数個の中空構造セグメント３間の連結強度のさらなる向上が可能になり、それによってよりさらに止水パネル全体の剛性の向上が可能になる。
【００３３】
さらに別の実施態様として、例えば図９に示すように、中空構造セグメント３の断面形状が矩形状を有し、上記繊維強化樹脂層Ｄ（６）が、複数個並べられた中空構造セグメント３相互が隣接する境界部に配置されている形態を採用することも可能である。このように構成すれば、少ない補強材量にて、効率よく、複数個の中空構造セグメント３間の連結強度の向上、さらには止水パネル全体の剛性の向上が可能になる。
【００３４】
さらに別の実施態様として、例えば図１０に示すように、上記繊維強化樹脂層Ｄ（６）が、少なくとも複数個並べられた中空構造セグメント３相互が隣接する境界部に配置されており、かつ、該配置部において、中空構造セグメント３を形成する上記繊維強化樹脂層Ａ若しくは繊維強化樹脂層Ｂ、つまり繊維強化樹脂層４の内面と外面に（内面側と外面側の両方に）配置されている形態を採用することも可能である。このように構成すれば、個々の中空構造セグメント３を補強できるとともに複数個の中空構造セグメント３間の連結強度も向上でき、それによって止水パネル全体の強度、剛性の向上が可能になる。
【００３５】
さらに別の実施態様として、例えば図１１に示すように、上記複数個の中空構造セグメント３が包括されて織物状繊維又は編物状繊維を含む繊維強化樹脂層Ｃ（５）により被覆されている構成において、繊維強化樹脂層Ｃ（５）の内面に、一方向に引き揃えられた強化繊維ｆを含む繊維強化樹脂層Ｆ（８）が配置され、該繊維強化樹脂層Ｆ（８）により上記複数個の中空構造セグメント３が包括されて被覆されている形態を採用することも可能である。このように構成すれば、複数個の中空構造セグメント３を包括被覆する繊維強化樹脂層（５）、（８）の強度、剛性の向上が可能になり、それによって止水パネル全体の強度、剛性の向上が可能になる。
【００３６】
さらに別の実施態様として、例えば図１２に示すように、止水パネル１が、その一部のパネル部位１５と他のパネル部位１６との間に角度を有する形態を採用することも可能である。図示例では、パネル部位１６がパネル部位１５に対し傾斜角度１７を有している。このように構成すれば、所定の場所に止水パネル１を設置するに際し、止水パネル１の一部が、設置場所に関して、あるいは止水のために受ける応力に対して、望ましい角度を持つことが可能になり、設置まで考慮した望ましい形態の止水パネル１が実現可能になる。
【００３７】
なお、図示は省略するが、本発明に係る止水パネルにおいては、基本構成としては各中空構造セグメントの中空構造はそのまま維持されてもよく、必要に応じて、上記中空構造セグメントの中空部内に低見かけ比重の材料からなるコア材（例えば、発泡体やハニカム構造を有する材料からなるコア材）が設けられている形態とされてもよい。このようなコア材が設けられると、個々の中空構造セグメントの軽量性を大きく損なうことなく個々の中空構造セグメントの強度、剛性を大幅に向上することが可能になり、それによって止水パネル全体の強度、剛性の大幅な向上が可能になる。
【００３８】
上述の如く、止水パネル１は前述の基本構成に加えて種々の付加構成を採り得る。図１２に示したパネル部位１５とパネル部位１６との間に傾斜角度１７を有する付加構成以外の付加構成を全て採用すると、例えば図１３に示すようになる。
【００３９】
上記のような止水パネル１は、例えば図１４に示すような方法によって製造される。図１４には、強化繊維として炭素繊維を使用し、図２に示した基本構成を有する止水パネル１を製造する工程の一例を示す。図１４（Ａ）に示す炭素繊維プリプレグ積層工程においては、織物状繊維又は編物状繊維を含む繊維強化樹脂層Ｃとしてのシート状炭素繊維プリプレグ２１の一部が下型２２の内面に沿って積層、配置され、炭素繊維プリプレグ２１の残りの部分が開かれた状態にて、別途中子としての矩形断面のマンドレル２３の周囲に織物状繊維又は編物状繊維を含む繊維強化樹脂層Ａとしてのシート状炭素繊維プリプレグ２４を配してマンドレル２３を巻き込んだ形態の中空構造セグメント２５を複数個形成し、複数個の中空構造セグメント２５を、下型２２の内面に沿って配置された炭素繊維プリプレグ２１上に単縦列に延在するように敷き詰める。所定の複数個の中空構造セグメント２５を敷き詰めた後、複数個の中空構造セグメント２５を包括して、上記開かれた状態の炭素繊維プリプレグ２１の残りの部分を折り返すように閉じ、複数個の中空構造セグメント２５を包括して炭素繊維プリプレグ２１により被覆する。
【００４０】
次いで、図１４（Ｂ）に示す型締工程において、上記状態にて、下型２２に対し上型２６を閉じ、型締めする。次いで、図１４（Ｃ）に示す加熱工程において、型締めされた上型２６及び下型２２と型内の複数個の中空構造セグメント２５及び炭素繊維プリプレグ２１（つまり、炭素繊維プリプレグ２１により被覆された全体）を、例えばオートクレーブ２７で所定温度に所定時間加圧・加熱する。この加圧・加熱後、図１４（Ｄ）に示す脱型工程において、下型２２に対し上型２６を開き、炭素繊維プリプレグ２１と該炭素繊維プリプレグ２１により被覆された複数個の中空構造セグメント２５を脱型する。脱型された炭素繊維プリプレグ２１と複数個の中空構造セグメント２５から、中空構造セグメント２５内に配されていた中子としてのマンドレル２３を全て取出す。全てのマンドレル２３を取出すことにより、図１４（Ｅ）に示すように、図２に示した基本構成を有する止水パネル１が完成される。
【００４１】
上記のように製造された止水パネル１は、例えば図１に示したように、その長手方向両端を係止する方立１１に対し鉛直方向に立設されて止水装置１００として構成されることもできるし、例えば図１５に示すように、鉛直方向に対して傾斜させて設置した止水装置２００として構成することもできる。そして図１６に示すように、この鉛直方向に対する傾斜角度１８としては、１〜３０°の範囲にあることが好ましい。また、図１７に示すように、前述の図１２に示したような止水パネル１を用い、止水パネル１の一部分１９には鉛直方向に対する傾斜角度１８を持たせ、止水パネル１の残りの部分２０（図示例の上部側部分）については鉛直方向に延在するように設置した止水装置３００として構成することもできる。
【産業上の利用可能性】
【００４２】
本発明に係る止水パネルは、あらゆる止水装置の止水パネルとして適用可能である。
【符号の説明】
【００４３】
１  止水パネル
２  中空部
３  中空構造セグメント
４  ２中空構造セグメントを形成する繊維強化樹脂層
５  繊維強化樹脂層Ｃ
６  繊維強化樹脂層Ｄ
７  繊維強化樹脂層Ｅ
８  繊維強化樹脂層Ｆ
１１  方立
１２  降下路
１３、１４  水の流れ
１５、１６  パネル部位
１７  傾斜角度
１８  鉛直方向に対する傾斜角度
１９、２０  止水パネルの一部分
２１  繊維強化樹脂層Ｃとしての炭素繊維プリプレグ
２２  下型
２３  中子としてのマンドレル
２４  繊維強化樹脂層Ａとしての炭素繊維プリプレグ
２５  中空構造セグメント
２６  上型
２７  オートクレーブ
１００、２００、３００  止水装置
【図１】
2017197998.tif 000003
【図２】
2017197998.tif 000004
【図３】
2017197998.tif 000005
【図４】
2017197998.tif 000006
【図５】
2017197998.tif 000007
【図６】
2017197998.tif 000008
【図７】
2017197998.tif 000009
【図８】
2017197998.tif 000010
【図９】
2017197998.tif 000011
【図１０】
2017197998.tif 000012
【図１１】
2017197998.tif 000013
【図１２】
2017197998.tif 000014
【図１３】
2017197998.tif 000015
【図１４】
2017197998.tif 000016
【図１５】
2017197998.tif 000017
【図１６】
2017197998.tif 000018
【図１７】
2017197998.tif 000019